(57)【要約】      （修正有）【課題】簡便な構造で炬燵布団を使用する際でも、新聞、携帯電話、眼鏡など種々の生活小物を置くことが出来る小物収納具を提供する。【解決手段】炬燵蒲団７の上に、天板５と同程度の大きさの底板９を置き、底板９と天板５の間に収納部となる空間を確保するための支柱１０を底板９に固定し、支柱１０の上面には摩擦の大きな摩擦材８を取付る。【選択図】図４
2012143333.tif 000002
【特許請求の範囲】
【請求項１】
天板に相当する大きさの底板と、上記底板と天板との間に空間を確保するための支柱と、上記支柱に摩擦材を取り付けたことを特徴とするやぐら炬燵の小物収納具。
【請求項２】
前記支柱は、高さが調整可能であることを特徴とする請求項１の小物収納具。
【発明の詳細な説明】
【技術分野】
【０００１】
本発明は、やぐら炬燵に付加する小物収納具に関する。
【背景技術】
【０００２】
やぐら炬燵は、やぐらの内部に発熱器具が仕組まれており、冬季に炬燵蒲団で覆って脚等を挿し入れ、暖をとる暖房具である。また、炬燵蒲団の上に天板を載せ、座卓や食卓として機能させることも多い。夏季など、暖房具として使用しない時期には、炬燵蒲団を取り除き、天板をやぐら炬燵の上に直接載置し、必要ならやぐら炬燵と天板とを簡単に固定して、座卓、食卓としての用に供している。
【０００３】
天板の上には、新聞、本、携帯電話、めがね、筆記具やテレビのリモコンなどの生活小物を置く、食卓として飲食物を並べるなど多目的に使用される。そこで、前記の生活小物等を収納する機能が、やぐら炬燵に付設されていれば非常に便利となる。
この問題に対して、やぐらに引出しを設けたやぐら炬燵が市販されている。また、天板に引出しを設けたもの（こたつ上板：実公平３−１１５３１６号公報）、やぐら炬燵の上面に引出しを構成するもの（コタツやぐらとコタツ板の間に置く物入れ：特開平２３３２７２号公報）などが提案されている。
【先行技術文献】
【特許文献】
【０００４】
【特許文献１】実公平３−１１５３１６号公報
【特許文献２】特開平８−２３３２７２号公報
【発明の概要】
【発明が解決しようとする課題】
【０００５】
やぐらに引出しを設けたやぐら炬燵や、やぐら炬燵の上面に引出しを設けるものでは、炬燵蒲団で覆うと、これらの引出しは蒲団の内部になり、収納具として使い難く不便ある。また、天板に引出しを設けるものは、構造が複雑で高価になる。引出しが不要で単に天板のみが必要な時、その対応ができない難点がある。
簡便な構造であって、暖房具として炬燵蒲団を使用する際でも、蒲団で覆わない小物収納具が求められている。また、既に使用に供されているやぐら炬燵に対しても、後付けとして容易に付加でき、不要な時には取り外せるものが求められている。
【課題を解決するための手段】
【０００６】
天板に相当する大きさの底板と、上記底板と天板との間に空間を確保するための支柱と、上記支柱に摩擦材を取り付けたことを特徴とするやぐら炬燵小物収納具。
この小物収納具は、炬燵蒲団の上に載せ、更にその上に天板を載置して使用する。炬燵蒲団を使わない夏季等には、この小物収納具をやぐら炬燵に上に直接載せる。また、小物収納具が不要の際は簡単に取り外すことができる。
【０００７】
前記支柱は、高さが調整可能であることを特徴とする前期やぐら炬燵小物収納具。支柱の高さは、収納する生活小物の大きさ、使用者の希望に応じて高さ調整を可能とする。
【発明の効果】
【０００８】
上記の炬燵蒲団と天板の間に置く小物収納具は構造が簡単であり、生活小物などの整理が容易、やぐら炬燵を多目的に使用することが容易になる。
【０００９】
やぐら炬燵を暖房具として用いない夏季等には、炬燵蒲団を取り除くだけで、小物収納具付きの座卓、食卓として用いることができる。
【図面の簡単な説明】
【００１０】
【図１】天板を上方に引離した状態のやぐら炬燵と天板
【図２】やぐら炬燵と天板（座卓としての使用状態図）
【図３】やぐら炬燵と炬燵蒲団と天板（暖防具としての使用状態図）
【図４】小物収納具の設置状況図（天板は引き離しでいる）
【図５】小物収納具の設置状況図（天板を載置している）
【図６】小物収納具と天板
【図７】高さ調整可能な支柱（スペーサで調整）
【図８】高さ調整可能な支柱（ねじで調整）
【発明を実施するための形態】
【実施例】
【００１１】
本発明の実施の形態を図１〜図８に基づいて説明する。
【００１２】
図１の１は一般のやぐら炬燵で、やぐら炬燵の上面２、発熱器具４、やぐら炬燵の脚３（通常４脚）等からなっている。５は取り外し可能（やぐら炬燵の上に載置）な天板である。
【００１３】
図２は、天板５をやぐら炬燵１の上に載置した、座卓、食卓として使用できる状態を示している。なお、図２では、やぐら炬燵１の側面に引出し６が設けられている場合を示している。
【００１４】
図３は、やぐら炬燵１を炬燵蒲団７（一部断面）で覆い、更にその上に天板５を載置した、やぐら炬燵１を暖防具として使用する場合を示している。
【００１５】
図４は、やぐら炬燵１の上に炬燵蒲団７（一部断面）を覆い、その上に、本願の小物収納具１１を載せた状態を示している。小物収納具１１の上に載せる天板５は、引き離して示している。９は小物収納具１１の底板であり、四隅と中央に支柱１０を固定している。支柱の上部には天板５との摩擦係数が大きい材料、摩擦材８を、滑り止め等として取付けている。なお、支柱は幅と長さが異なる板状のものであってもよい。
【００１６】
図５は、炬燵蒲団７（一部断面）の上に小物収納具１１を載せ、その上に天板５を載置した、暖房具としての一般の使用状態を示している。小物収納具１１の底板９と天板５の間にできる空間１２に、小物の一例である新聞１４と箱１３を収納している場合を示している。箱１３は、お菓子箱等の空箱（流用品）を引出しとして使っており、引出すための切欠き等を設けるか、紐などを取り付けて、取っ手の機能を担わせ、引出し易くするとよい。
【００１７】
図６は、小物収納具１１と天板５を示す。小物収納具１１は、底板９の四隅と中央に支柱１０を固定したもので、支柱１０の個数と位置は必要に応じて変更してもよい。８は摩擦材であり、支柱１０に取付けられている。摩擦材８は、天板５との滑り止めをはじめ、複数の支柱１０の僅かな高さの違いの吸収、天板５の損傷防止の役割を担わせるため、弾性のあるものが望ましい。
【００１８】
図７と図８は高さの調整が可能なＡ支柱２１とＢ支柱３０を示している。
図７は、Ａ支柱２１の高さを、スペーサ２４で調整する方法を示す。図７（ａ）は、組み立てた状態であり、図７（ｂ）は、Ａ支柱２１を分解した状態である。
底板９にＡ基支柱２７を固定しており、Ａ基支柱２７の中央に芯棒２６を嵌め込んで一体としている。さらに、芯棒２６をスペーサ２４の穴２５に挿入してスペーサ２４をＡ基支柱２７に重ね、その上に、Ａ上支柱２２の穴２３を芯棒２６に挿入してＡ上支柱２２を重ねている。
【００１９】
スペーサ２４は、種々の高さのものを複数個準備し、数個のスペーサを組み合わせて所要の高さにしてもよい。同時に、芯棒２６の長さも必要に応じて変更する。
【００２０】
図８は、Ｂ支柱３０の高さを調整する別の方法、ねじで調整する方法、を示す。図８（ａ）は、使用状態を示しており、図８（ｂ）は分解した状態である。
底板９に、雌ねじ３４を設けたＢ基支柱３３を固定し、Ｂ上支柱３１にねじ棒３２を固定している。ねじ棒３２を雌ねじ３４に噛み合わせ、Ｂ上支柱３１を回して所要の高さに調整して用いる。
【符号の説明】
【００２１】
１    やぐら炬燵
５    天板
７    炬燵蒲団
８    摩擦材
９    底板
１０  支柱
１１  小物収納具
１２  空間
２１  Ａ支柱
２４  スペーサ
３０  Ｂ支柱
３２  ねじ棒
【図１】
2012143333.tif 000003
【図２】
2012143333.tif 000004
【図３】
2012143333.tif 000005
【図４】
2012143333.tif 000006
【図５】
2012143333.tif 000007
【図６】
2012143333.tif 000008
【図７】
2012143333.tif 000009
【図８】
2012143333.tif 000010
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
やぐら炬燵の天板に相当する大きさであり、やぐら炬燵を覆う炬燵蒲団の上に載置する底板と、
上記底板の上面に取り付ける数個の支柱と、
上記支柱に摩擦弾性材を取り付けたことを特徴とするやぐら炬燵の小物収納具。
【請求項２】
前記支柱は、高さが調節可能であることを特徴とする請求項１の小物収納具
【手続補正２】
【補正対象書類名】明細書
【補正対象項目名】０００６
【補正方法】変更
【補正の内容】
【０００６】
やぐら炬燵の天板に相当する大きさの底板と、上記底板と天板との間に空間を確保するための支柱と上記支柱に摩擦弾性材を取り付けたことを特徴とするやぐら炬燵小物収納具。
この小物収納具の底板は、やぐら炬燵を覆う炬燵蒲団の上に載せ、上記底板の上に上記支柱を取り付け、さらにその上に天板を載置して使用する。炬燵蒲団を使わない夏季等には、上記底板をやぐら炬燵の上に直接載せて使用する。また、この小物収納具が不要の際は簡単に取り外すことができる。
【手続補正３】
【補正対象書類名】明細書
【補正対象項目名】０００７
【補正方法】変更
【補正の内容】
【０００７】
前記支柱は、高さが調整可能であることを特徴とするやぐら炬燵小物収納具。支柱の高さは、収納する物の大きさ、使用者の希望に応じた調整が可能である。